(57)【要約】【課題】外部に対してだけでなく、内部においても清潔さを保持でき、かつ、装着した状態でも身体の自由性を損なうことのない男性用尿漏れ処理具を提供する。【解決手段】男性用尿漏れ処理具１は、陰茎が収容される陰茎収容部材３と、陰茎収容部材３が収納される陰茎収容部材収納部４と、陰茎収容部材収納部４を陰部に当接させた状態で支持する支持部材５と、を備える。陰茎収容部材３は、液体浸透性の内面シート３ａと液体不浸透性の外面シート３ｂとによって袋状に形成されている。支持部材５は、収納部本体４ａの上端の左右から環状に延びる伸縮性の腰紐７と、収納部本体４ａの下端から左右斜め上方に延び、腰紐７に接続される左右一対の伸縮性の臀部紐８ａ，８ｂと、からなる。【選択図】図１
0003225186.tif 000002
【実用新案登録請求の範囲】
【請求項１】
陰茎が収容される陰茎収容部材と、前記陰茎収容部材が収納される陰茎収容部材収納部と、前記陰茎収容部材収納部を陰部に当接させた状態で支持する支持部材と、を備え、
前記陰茎収容部材は、液体浸透性の内面シートと液体不浸透性の外面シートとによって袋状に形成されていることを特徴とする男性用尿漏れ処理具。
【請求項２】
前記陰茎収容部材収納部が、略Ｕ字状に形成された収納部本体と、前記収納部本体の背面側に形成された略Ｕ字状の収納袋と、からなり、
前記支持部材が、前記収納部本体の上端の左右から環状に延びる伸縮性の腰紐と、前記収納部本体の下端から左右斜め上方に延び、前記腰紐に接続される左右一対の伸縮性の臀部紐と、からなる、請求項１に記載の男性用尿漏れ処理具。
【考案の詳細な説明】
【技術分野】
【０００１】
本考案は、中高年等の男性の尿漏れに対して普段の予防用及び外出時の装着用として使用される男性用尿漏れ処理具に関する。
【背景技術】
【０００２】
中高年の男性の場合、排尿時の尿切れが悪く、排尿終了後に尿漏れが生じてパンツを汚しやすくなることが従来から知られている。また、少量の尿漏れによってパンツを通してズボン等の表面にシミが滲んだりして、恥ずかしい思いをしている男性も多い。
従来、このような尿漏れに対処するために一般的に使用されてきた男性用の使い捨て吸収性物品は、そのほとんどが平面的なシート状のもので、尿を吸収する吸収材（尿吸収パッド）である。つまり、オムツ式発想の延長線上にあって、介護を必要とする人や寝たきり老人用のものが中高年の尿漏れの失禁対策にも適用されている。中でも、パンツに尿吸収パッドを固定的に取り付けたものや股間の前後に配置して貼り付けるものなどが主流である（例えば、特許文献１等を参照）。
【先行技術文献】
【特許文献】
【０００３】
【特許文献１】特開２０１８−０４７１５８号公報
【考案の概要】
【考案が解決しようとする課題】
【０００４】
しかし、特許文献１等に開示された男性用尿漏れ処理具では、「清潔と不潔」の領域が明確でなく、陰嚢や肛門にも尿水を付着させてしまう。そして、尿水が陰嚢に付着する状態が続けば細菌に侵されやすく、皮膚病などを発症する虞がある。
また、特許文献１等に開示された男性用尿漏れ処理具では、股間部が締め付けられ、自由な身体の行動に対して違和感がある。
【０００５】
本考案は、従来技術における前記課題を解決するためになされたものであり、外部に対してだけでなく、内部においても清潔さを保持でき、かつ、装着した状態でも身体の自由性を損なうことのない男性用尿漏れ処理具を提供することを目的とする。
【課題を解決するための手段】
【０００６】
前記目的を達成するため、本考案に係る男性用尿漏れ処理具の構成は、
（１）陰茎が収容される陰茎収容部材と、前記陰茎収容部材が収納される陰茎収容部材収納部と、前記陰茎収容部材収納部を陰部に当接させた状態で支持する支持部材と、を備え、
前記陰茎収容部材は、液体浸透性の内面シートと液体不浸透性の外面シートとによって袋状に形成されていることを特徴とする。
【０００７】
本考案の男性用尿漏れ処理具の上記（１）の構成によれば、陰茎の全長のほぼ大半が陰茎収容部材に収容され、陰嚢部分が前記陰茎収容部材の外側に位置した状態に持っていくことが可能となる。その結果、漏れた尿が陰嚢に付着することはないので、陰嚢が細菌に侵されて皮膚病などを発症することを回避することができる。すなわち、本考案の男性用尿漏れ処理具の上記（１）の構成によれば、外部に対してだけでなく、内部においても如何に清潔さを保持できるかという課題を解決することができる。
【０００８】
本考案の男性用尿漏れ処理具の上記（１）の構成においては、以下の（２）から（６）のような構成にすることが好ましい。
【０００９】
（２）上記（１）の構成において、前記陰茎収容部材収納部が、略Ｕ字状に形成された収納部本体と、前記収納部本体の背面側に形成された略Ｕ字状の収納袋と、からなり、
前記支持部材が、前記収納部本体の上端の左右から環状に延びる伸縮性の腰紐と、前記収納部本体の下端から左右斜め上方に延び、前記腰紐に接続される左右一対の伸縮性の臀部紐と、からなる。
【００１０】
上記（２）の好ましい構成によれば、両脚の付け根と腰で支持されるＯバックパンツ式のバタフライを実現することができる。このＯバックパンツ式のバタフライは、全ての体形に合致するため、陰茎が陰茎収容部材からずれたり、陰茎収容部材自体が陰茎収容部材収納部から脱落したりすることはない。また、陰茎を前記陰茎収容部材に収容し、当該陰茎収容部材を前記陰茎収容部材収納部に落とし込んだ状態で、腰紐を腰まで引き上げることにより、陰茎をしっかりと前記陰茎収容部材に入れ込むことができるので、尿漏れを確実に防止することができる。また、装着方法は一般的なパンツの場合と同じであり、伸縮性の腰紐によって支持されるので、立つ座る等の動作時だけでなく、激しい運動を行っても、前記陰茎収容部材収納部がずり落ちてしまうことはない。また、前記陰茎収容部材収納部が、略Ｕ字状に形成され、臀部紐が収納部本体の下端から左右斜め上方に延びるようにされているため、装着時に股間部の締め付けがなく、自由な身体の行動に対して違和感がない。さらに、座便器使用時においても、パンツを脱いで排便する必要がなく、装着者にとって利便性の高いものとなっている。
【００１１】
（３）上記（１）又は（２）の構成において、前記陰茎収容部材収納部の正面側に第一マチ部が形成されている。
【００１２】
上記（３）の好ましい構成によれば、陰茎収容部材収納部に陰茎収容部材が収納される際に、当該陰茎収容部材収納部が広がると同時に第一マチ部も広がる。そして、前記第一マチ部が広がることにより、より大きな空間が生まれるので、激しい動作をしても、陰茎が収容された前記陰茎収容部材が前記陰茎収容部材収納部から脱落することはない。
【００１３】
（４）上記（２）又は（３）の構成において、前記収納袋の上端が弓なりの凹状に形成されている。
【００１４】
上記（４）の好ましい構成によれば、陰茎収容部材の、収納袋への落とし込みが容易となる。
【００１５】
（５）上記（１）から（４）の構成において、前記陰茎収容部材の背面側の上端が弓なりの凹状に形成されている。
【００１６】
上記（５）の好ましい構成によれば、陰茎を陰茎収容部材に深く侵入させることが可能となる。なお、弓なりの凹状に形成されていない（カットされていない）、前記陰茎収容部材の表面側の上端を摘まめば、当該陰茎収容部材の廃棄時に指で容易に取り出すことができる。
【００１７】
（６）上記（１）から（５）の構成において、前記陰茎収容部材の左右両側に第二マチ部が形成されている。
【００１８】
上記（６）の好ましい構成によれば、陰茎収容部材に陰茎が挿入される際に、当該陰茎収容部材が広がると同時に第二マチ部も広がる。そして、前記第二マチ部が広がることにより、より大きな空間が生まれるので、尿水をより多く溜めることが可能となる。
【考案の効果】
【００１９】
本考案によれば、外部に対してだけでなく、内部においても清潔さを保持でき、かつ、装着した状態でも身体の自由性を損なうことのない男性用尿漏れ処理具を提供することができる。
【図面の簡単な説明】
【００２０】
【図１】本考案の一実施形態における男性用尿漏れ処理具を斜め右側方から見た斜視図である。
【図２】本考案の一実施形態における男性用尿漏れ処理具を斜め右側方から見た斜視図（陰茎収容部材については省略）である。
【図３】本考案の一実施形態における男性用尿漏れ処理具を示す背面図（陰茎収容部材については省略）である。
【図４】本考案の一実施形態における男性用尿漏れ処理具を斜め下方から見た正面斜視図である。
【図５】本考案の一実施形態における男性用尿漏れ処理具を示す平面図である。
【図６】本考案の一実施形態における男性用尿漏れ処理具の構成部材である陰茎収容部材を示す斜視図である。
【図７】本考案の一実施形態における男性用尿漏れ処理具を装着した状態を示す右側面断面図である。
【図８】本考案の一実施形態における男性用尿漏れ処理具を装着した状態を示す外観斜視図（（ａ）は正面斜視図、（ｂ）は背面斜視図）である。
【考案を実施するための形態】
【００２１】
以下、好適な実施形態を用いて本考案をさらに具体的に説明する。但し、下記の実施形態は本考案を具現化した例に過ぎず、本考案はこれに限定されるものではない。
【００２２】
［男性用尿漏れ処理具の構成］
まず、本考案の一実施形態における男性用尿漏れ処理具の構成について、図１から図６を参照しながら説明する。
【００２３】
図１は本考案の一実施形態における男性用尿漏れ処理具を斜め右側方から見た斜視図、図２は当該男性用尿漏れ処理具を斜め右側方から見た斜視図（陰茎収容部材については省略）、図３は当該男性用尿漏れ処理具を示す背面図（陰茎収容部材については省略）、図４は当該男性用尿漏れ処理具を斜め下方から見た正面斜視図、図５は当該男性用尿漏れ処理具を示す平面図、図６は当該男性用尿漏れ処理具の構成部材である陰茎収容部材を示す斜視図である。
【００２４】
図１から図６に示すように、本実施形態の男性用尿漏れ処理具（以下、単に「尿漏れ処理具」ともいう）１は、陰茎２（図７を参照）が収容される陰茎収容部材（カセット）３と、陰茎収容部材３が収納される陰茎収容部材収納部（バケット）４と、陰茎収容部材収納部４を陰部に当接させた状態で支持する支持部材５と、を備えている。ここで、陰茎収容部材３は、液体浸透性の内面シート３ａと液体不浸透性の外面シート３ｂとによって袋状に形成された使い捨て吸収性物品である（袋状の扁平形ボックスタイプ  なお、図１，図６では、内面シート３ａを説明する便宜上、上端が開口した状態として描いている）。また、この陰茎収容部材３は、携帯式で軽くて薄いポケットサイズであり、工場で大量に生産可能なシンプルで安価な使い捨て吸収性物品である。
【００２５】
本実施形態の尿漏れ処理具１の構成によれば、陰茎２の全長のほぼ大半が陰茎収容部材３に収容され、陰嚢６（図７を参照）部分が陰茎収容部材３の外側に位置した状態に持っていくことが可能となる。その結果、漏れた尿が陰嚢６に付着することはないので、陰嚢６が細菌に侵されて皮膚病などを発症することを回避することができる。すなわち、本実施形態の尿漏れ処理具１の構成によれば、外部に対してだけでなく、内部においても如何に清潔さを保持できるかという課題を解決することができる。
【００２６】
陰茎収容部材収納部４は、略Ｕ字状に形成された収納部本体４ａと、収納部本体４ａの背面側に形成された略Ｕ字状の収納袋４ｂと、からなっている。ここで、収納袋４ｂは、収納部本体４ａの背面側に略Ｕ字状の布を上端が開口した状態で縫い付けることによって形成されている。
陰茎収容部材収納部４が大きすぎたりすると、脚の付け根周りが圧迫されるが、このように陰茎収容部材収納部４を略Ｕ字状に形成すれば、装着時に股間部の締め付けがなく、自由な身体の行動に対して違和感がない。
収納部本体４ａは、軽量のネットで柔軟性と通気性を持ち、身体の動きに順応する。身体側の収納袋４ｂには、弾力性のある布地が用いられ、肌に優しい感触が得られる。
陰茎収容部材収納部４（収納部本体４ａ、収納袋４ｂ）の材料は、綿素材又はポリエステル系素材であることが好ましい。陰茎収容部材収納部４は、皮膚に触れるものであるため、アレルギー過敏症対策を考える上で好ましいからである。
【００２７】
陰茎収容部材３も、収納袋４ｂの形状に合わせて、略Ｕ字状に形成されている。
【００２８】
支持部材５は、収納部本体４ａの上端の左右から環状に延びる伸縮性の腰紐７と、収納部本体４ａの下端から左右斜め上方に延び、腰紐７に接続される左右一対の伸縮性の臀部紐８ａ，８ｂと、からなっている。
腰紐７と臀部紐８ａ，８ｂは、帯状の弾力性ゴム紐からなっている。腰紐７は、収納部本体４ａの上端部に突き合わせで縫い込まれている。臀部紐８ａ，８ｂの端部は、腰紐７に縫合されている。
【００２９】
陰茎収容部材収納部４及び支持部材５を以上のように構成すれば、両脚の付け根と腰で支持されるＯバックパンツ式のバタフライを実現することができる。このＯバックパンツ式のバタフライは、全ての体形に合致するため、陰茎２が陰茎収容部材３からずれたり、陰茎収容部材３自体が陰茎収容部材収納部４から脱落したりすることはない。また、陰茎２を陰茎収容部材３に収容し、当該陰茎収容部材３を陰茎収容部材収納部４に落とし込んだ状態で、腰紐７を腰まで引き上げることにより、陰茎２をしっかりと陰茎収容部材３に入れ込むことができるので、尿漏れを確実に防止することができる。また、装着方法は一般的なパンツの場合と同じであり、伸縮性の腰紐７によって支持されるので、立つ座る等の動作時だけでなく、激しい運動を行っても、陰茎収容部材収納部４がずり落ちてしまうことはない。また、陰茎収容部材収納部４が、略Ｕ字状に形成され、臀部紐８ａ，８ｂが収納部本体４ａの下端から左右斜め上方に延びるようにされているため、装着時に股間部の締め付けがなく、自由な身体の行動に対して違和感がない。さらに、座便器使用時においても、パンツを脱いで排便する必要がなく、装着者にとって利便性の高いものとなっている。
【００３０】
収納袋４ｂ（収納部本体４ａ）の正面側には、第一マチ部９が形成されている。
かかる構成によれば、収納袋４ｂに陰茎収容部材３が収納される際に、収納袋４ｂが広がると同時に第一マチ部９も広がる。そして、第一マチ部９が広がることにより、より大きな空間が生まれるので、激しい動作をしても、陰茎２が収容された陰茎収容部材３が収納袋４ｂから脱落することはない。
【００３１】
収納袋４ｂの上端１０は、弓なりの凹状に形成されている。
かかる構成によれば、陰茎収容部材３の、収納袋４ｂへの落とし込みが容易となる。
【００３２】
陰茎収容部材３の背面側の上端１１は、弓なりの凹状に形成されている。
かかる構成によれば、陰茎２を陰茎収容部材３に深く侵入させることが可能となる。なお、弓なりの凹状に形成されていない（カットされていない）、陰茎収容部材３の表面側の上端１２を摘まめば、陰茎収容部材３の廃棄時に指で容易に取り出すことができる。
【００３３】
陰茎収容部材３の左右両側には、第二マチ部１３が形成されている。
かかる構成によれば、陰茎収容部材３に陰茎２が挿入される際に、陰茎収容部材３が広がると同時に第二マチ部１３も広がる。そして、第二マチ部１３が広がることにより、より大きな空間が生まれるので、尿水をより多く溜めることが可能となる。
【００３４】
［男性用尿漏れ処理具の使用方法］
次に、本考案の一実施形態における男性用尿漏れ処理具の使用方法について、図７，図８をも参照しながら説明する。
【００３５】
図７は本考案の一実施形態における男性用尿漏れ処理具を装着した状態を示す右側面断面図、図８は当該男性用尿漏れ処理具を装着した状態を示す外観斜視図（（ａ）は正面斜視図、（ｂ）は背面斜視図）である。
【００３６】
本実施形態の尿漏れ処理具１の装着作業は、一般的なパンツを装着する場合と略同じである。
すなわち、まず、腰紐７の左右を手で持って、左右の脚をそれぞれ、陰茎収容部材収納部４と臀部紐８ａ，８ｂとの間に通す。
次いで、腰紐７の左右を手で持ったまま、腰紐７を太ももまで引き上げる。
次いで、陰茎２を陰茎収容部材３に手作業で挿入する。そして、陰茎２が挿入された陰茎収容部材３を、陰茎収容部材収納部４の収納袋４ｂに上から落とし込む。
最後に、腰紐７の左右を手で持って、腰紐７を腰まで引き上げる。これにより、尿漏れ処理具１は、陰茎２がしっかりと陰茎収容部材３に入れ込まれた状態で装着される（図７，図８を参照）。
【００３７】
尿漏れが生じた場合には、次の手順で陰茎収容部材３の交換を行う。
すなわち、まず、腰紐７の左右を手で持って、腰紐７を太ももまで引き下げる。これにより、尿を吸収した陰茎収容部材３から陰茎２が抜ける。
次いで、陰茎収容部材３の表面側の上端１２を指で摘まんで、当該陰茎収容部材３を陰茎収容部材収納部４の収納袋４ｂから取り出し、一般ゴミとして廃棄する。このようにして廃棄すれば、周りを汚すことがない。
次いで、陰茎２を未使用の陰茎収容部材３に手作業で挿入する。そして、陰茎２が挿入された陰茎収容部材３を、陰茎収容部材収納部４の収納袋４ｂに上から落とし込む。
最後に、腰紐７の左右を手で持って、腰紐７を腰まで引き上げる。これにより、尿漏れ処理具１は、陰茎２がしっかりと陰茎収容部材３に入れ込まれた状態で装着される。
以上のように、陰茎収容部材３は、尿漏れが生じた時点で、手際よく簡単に取り換えることができる。
【００３８】
なお、上記実施形態においては、収納袋４ｂが、収納部本体４ａの背面側に布を上端が開口した状態で縫い付けることによって形成される場合を例に挙げて説明した。しかし、本考案は必ずしもこのような構成に限定されるものではない。例えば、上端開口の収納袋を収納部本体とは別に用意し、当該収納袋を収納部本体の背面側に上端が開口した状態で縫い付けるようにしてもよい。
【００３９】
また、上記実施形態においては、陰茎収容部材収納部４が略Ｕ字状に形成されている場合を例に挙げて説明した。しかし、本考案は必ずしもこのような構成に限定されるものではない。例えば、陰茎収容部材収納部は、縦長略矩形状に形成されていてもよい。
【００４０】
また、上記実施形態においては、支持部材５が、収納部本体４ａの上端の左右から環状に延びる伸縮性の腰紐７と、収納部本体４ａの下端から左右斜め上方に延び、腰紐７に接続される左右一対の伸縮性の臀部紐８ａ，８ｂと、からなる場合を例に挙げて説明した。しかし、本考案は必ずしもこのような構成に限定されるものではない。例えば、腰紐は、伸縮性を有しない「結ぶタイプ」のものであってもよい。また、臀部紐は、必ずしも伸縮性を有していなくてもよい。また、例えば、通常のパンツに陰茎収容部材収納部が設けられた構成であってもよい。この場合、通常のパンツ自体が支持部材となる。
【符号の説明】
【００４１】
１  男性用尿漏れ処理具
２  陰茎２
３  陰茎収容部材（カセット）
３ａ  液体浸透性の内面シート
３ｂ  液体不浸透性の外面シート
４  陰茎収容部材収納部（バケット）
４ａ  収納部本体
４ｂ  収納袋
５  支持部材
６  陰嚢
７  腰紐
８ａ，８ｂ  臀部紐
９  第一マチ部
１０，１１，１２  上端
１３  第二マチ部
【図１】
0003225186.tif 000003
【図２】
0003225186.tif 000004
【図３】
0003225186.tif 000005
【図４】
0003225186.tif 000006
【図５】
0003225186.tif 000007
【図６】
0003225186.tif 000008
【図７】
0003225186.tif 000009
【図８】
0003225186.tif 000010
【手続補正書】
【提出日】令和1年12月13日(2019.12.13)
【手続補正１】
【補正対象書類名】図面
【補正対象項目名】図１
【補正方法】変更
【補正の内容】
【図１】
0003225186.tif 000011
【手続補正２】
【補正対象書類名】図面
【補正対象項目名】図６
【補正方法】変更
【補正の内容】
【図６】
0003225186.tif 000012
【手続補正３】
【補正対象書類名】図面
【補正対象項目名】図７
【補正方法】変更
【補正の内容】
【図７】
0003225186.tif 000013